【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
ポータブルオーディオ装置を動作させる方法であって、
オーディオを再生する再生ステップと、
前記再生ステップにおける前記オーディオの再生中に、
前記ポータブルオーディオ装置による前記オーディオの再生に対する最大音量パラメータを調整する調整ステップであって、当該調整ステップを実行する前の期間におけるオーディオ再生に基づいて前記調整を行う調整ステップと、
一定時間後に、前記調整ステップを繰り返すステップと
を有することを特徴とする方法。
【請求項２】
前記調整ステップは、更に、回復に基づき最大許容音量を増大させる継続時間／音量聴覚安全特性の所定の式に基づくものであることを特徴とする請求項１に記載の方法。
【請求項３】
前記ポータブルオーディオ装置を、前記継続時間／音量聴覚安全特性の所定の式を利用するように構成する構成ステップを更に有することを特徴とする請求項２に記載の方法。
【請求項４】
前記構成ステップは、前記ポータブルオーディオ装置と分離可能なホストコンピュータと通信して対話する対話ステップを含むことを特徴とする請求項３に記載の方法。
【請求項５】
前記調整ステップは、更に、前記ポータブルオーディオ装置のオーディオ生成特性に基づくものであり、前記ポータブルオーディオ装置の前記オーディオ生成特性は、前記ポータブルオーディオ装置に接続されたヘッドホンの特性を含むことを特徴とする請求項１乃至４のいずれか１項に記載の方法。
【請求項６】
前記調整ステップは、更に、前記再生されるオーディオのオーディオ特性に基づくものであり、
前記ポータブルオーディオ装置と分離可能に結合されたホストコンピュータから、前記ポータブルオーディオ装置に対して、前記オーディオ特性の指示を供給する供給ステップを更に有する
ことを特徴とする請求項１乃至５のいずれか１項に記載の方法。
【請求項７】
前記調整された最大音量が所定の閾値音量より低い場合、前記調整された最大音量の指示を、前記ポータブルオーディオ装置のユーザに提供し、
前記調整された最大音量がゼロである場合、前記再生ステップを停止し、
前記調整された最大音量が、前記ポータブルオーディオ装置のユーザによって指示された所望の音量を超える場合、前記調整された最大音量に基づいてオーディオ再生の実際の音量を制限する
ことを特徴とする請求項１乃至６のいずれか１項に記載の方法。
【請求項８】
オーディオの再生に対応するオーディオ信号を供給するオーディオ出力回路と、
前記オーディオ出力回路を制御する制御手段と、
を備え、
前記制御手段は、オーディオの再生中に、
前記オーディオの再生に対応する前記オーディオ信号を供給するために、最大音量パラメータを調整する処理であって、当該最大音量を調整する前の期間におけるオーディオ信号の供給に基づいて調整する処理を行い、
一定時間後に、前記最大音量の調整を繰り返す
ように構成され、
前記調整は、更に、回復に基づき最大許容音量を増大させる継続時間／音量聴覚安全特性の所定の式に基づくものである
ことを特徴とするポータブルオーディオ装置。
【請求項９】
前記制御手段は、更に、前記継続時間／音量聴覚安全特性の所定の式を利用し、
前記継続時間／音量聴覚安全特性の所定の式を利用するように構成された前記制御手段は、前記メディア・プレーヤと分離可能なホストコンピュータと通信して対話するように構成されている
ことを特徴とする請求項８に記載のポータブルオーディオ装置。
【請求項１０】
前記調整は、更に、前記オーディオ出力回路のオーディオ生成特性に基づくものであり、
前記オーディオ出力回路の前記オーディオ生成特性は、前記ポータブルオーディオ装置に接続されたヘッドホンの特性を含む
ことを特徴とする請求項８又は９に記載のポータブルオーディオ装置。
【請求項１１】
前記調整は、更に、前記再生されるオーディオのオーディオ特性に基づくものであり、
前記制御手段は、更に、前記ポータブルオーディオ装置と着脱可能に結合されたホストコンピュータから、前記オーディオ特性の指示を前記ポータブルオーディオ装置に供給させるように構成されている
ことを特徴とする請求項８乃至１０のいずれか１項に記載のポータブルオーディオ装置。
【請求項１２】
前記制御手段は、
前記調整された最大音量が所定の閾値音量より低い場合、前記調整された最大音量の指示を、前記ポータブルオーディオ装置のユーザに提供し、
前記調整された最大音量がゼロである場合、前記オーディオの再生を停止させ、
前記調整された最大音量が、ポータブルオーディオ装置のユーザによって指示された所望の音量を超える場合、前記オーディオの再生に対応するオーディオの実際の音量を、前記調整された最大音量に基づくものとさせる
ように構成されていることを特徴とする請求項８乃至１１のいずれか１項に記載のポータブルオーディオ装置。
【請求項１３】
ポータブルオーディオ装置を構成する方法であって、
前記ポータブルオーディオ装置に聴覚保護パラメータを指示するステップと、
前記ポータブルオーディオ装置の制御手段が、前記ポータブルオーディオ装置のオーディオ出力回路のオーディオ出力レベルを、前記指示された聴覚保護パラメータの処理に基づいて制御するステップと、
を有し、
前記指示された聴覚保護パラメータは、少なくとも改竄に耐え得る方式で前記ポータブルオーディオ装置内に記憶され、かつ、前記指示された聴覚保護パラメータは聴覚保護プロファイルを指示するものであり、
記指示された聴覚保護パラメータに応じて制御される前記ポータブルオーディオ装置の前記オーディオ出力回路の前記オーディオ出力レベルは、前記オーディオ出力回路の実際のオーディオ出力レベルに基づいて調整され、
前記聴覚保護パラメータは、前記ポータブルオーディオ装置と前記ポータブルオーディオ装置に接続されているホストコンピュータ上で実行されているホスト・アプリケーションとの間の対話の結果として前記ポータブルオーディオ装置に指示されるか、又は、ユーザの前記ポータブルオーディオ装置との直接対話の結果として前記ポータブルオーディオ装置に指示される
ことを特徴とする方法。
【請求項１４】
前記制御手段は、閾値オーディオ出力特性を決定するように前記聴覚保護パラメータを処理し、
前記オーディオ出力回路の前記オーディオ出力レベルは、前記決定された閾値オーディオ出力特性に応じて制御され、
前記オーディオ出力回路の実際のオーディオ出力の特性に基づいて前記閾値オーディオ出力特性を調整するステップを更に有する
ことを特徴とする請求項１３に記載の方法。
【請求項１５】
前記聴覚保護プロファイルに対する前記オーディオ出力回路の実際のオーディオ出力レベルの特性に基づいて、前記オーディオ出力回路の前記オーディオ出力レベルを調整するステップを更に有することを特徴とする請求項１４に記載の方法。
【請求項１６】
オーディオ信号を出力するオーディオ出力回路と、
前記オーディオ出力回路によるオーディオ信号の出力中に、前記オーディオ信号の出力に対する実際のパラメータが、少なくとも特定の境界パラメータ内になるように制限されるように、前記オーディオ出力回路を制御する制御手段と、
を備え、
前記特定の境界パラメータは、前記制御手段が利用可能な聴覚保護パラメータに基づくものであり、
前記聴覚保護パラメータは、ユーザインタフェースを介して前記ポータブルオーディオ装置に直接供給される
ことを特徴とするポータブルオーディオ装置。
【請求項１７】
前記ポータブルオーディオ装置に結合され、前記聴覚保護パラメータを供給するホストコンピュータを更に備え、
前記ホストコンピュータは、前記ホストコンピュータ上で実行されているアプリケーションに対してユーザインタフェースを介して指示される聴覚保護パラメータを供給する
ことを特徴とする請求項１６に記載のポータブルオーディオ装置。
【請求項１８】
前記聴覚保護パラメータに対する実際のパラメータに基づいて、前記境界パラメータを調整することを特徴とする請求項１６に記載のポータブルオーディオ装置。